(57)【要約】【課題】  映像に対するユーザの反応を数値として測定する。【解決手段】  映像に対するユーザの反応を測定する情報測定装置であって、前記映像を表示する映像表示部と、前記映像の表示開始からの経過時間を計測する経過時間計測部と、前記映像に対する前記ユーザの反応情報を取得する反応情報取得部と、前記経過時間の経緯に伴う前記反応情報に基づいて取得した反応度合に重み付けして、前記反応度合を数値として測定する測定部とを有する。【選択図】図１
2019020834.tif 000002
【特許請求の範囲】
【請求項１】
映像に対するユーザの反応を測定する情報測定装置であって、
前記映像を表示する映像表示部と、
前記映像の表示開始からの経過時間を計測する経過時間計測部と、
前記映像に対する前記ユーザの反応情報を取得する反応情報取得部と、
前記経過時間の経緯に伴う前記反応情報に基づいて取得した反応度合に重み付けして、前記反応度合を数値として測定する測定部と、
を有することを特徴とする情報測定装置。
【請求項２】
前記測定部は、前記経過時間の経緯と前記反応情報とによる反応度合置換表に基づいて前記反応度合を数値へ置換するものであることを特徴とする請求項１に記載の情報測定装置。
【請求項３】
前記反応情報取得部は、前記経過時間を分割し、当該分割した時間帯毎に前記反応情報を取得するものであることを特徴とする請求項１に記載の情報測定装置。
【請求項４】
前記測定部は、前記経過時間を分割した時間帯によって、前記反応度合に異なる前記重み付けをするものであることを特徴とする請求項２に記載の情報測定装置。
【請求項５】
前記反応度合置換表は、前記反応度合毎に、１以上の測定値を含むものであることを特徴とする請求項２に記載の情報測定装置。
【請求項６】
前記反応情報取得部は、予め定められた前記ユーザの身体動作を前記反応情報として取得するものであることを特徴とする請求項１に記載の情報測定装置。
【請求項７】
前記反応情報取得部は、前記予め定められた前記身体動作の継続時間及び／又は反復間隔時間を前記反応情報として取得するものであることを特徴とする請求項６に記載の情報測定装置。
【請求項８】
前記測定部が測定した前記数値に基づいて、前記映像に対するユーザの反応度合を出力する反応度合出力部を有することを特徴とする請求項１に記載の情報測定装置。
【請求項９】
前記反応度合出力部は、前記数値から点数、グラフ、その他のいずれか１つ以上の表示形態により反応度合を可視化することを特徴とする請求項８に記載の情報測定装置。
【請求項１０】
映像に対するユーザの反応を測定する情報測定方法であって、
前記映像を表示するステップと、
前記映像の表示開始からの経過時間を計測するステップと、
前記映像に対する前記ユーザの反応情報を取得するステップと、
前記経過時間の経緯に伴う前記反応情報に基づいて取得した反応度合に重み付けして、前記反応度合を数値として測定するステップと、
を実行することを特徴とする情報測定方法。
【請求項１１】
映像に対するユーザの反応を測定する情報測定プログラムであって、
コンピュータに、
前記映像を表示する機能と、
前記映像の表示開始からの経過時間を計測する機能と、
前記映像に対する前記ユーザの反応情報を取得する機能と、
前記経過時間の経緯に伴う前記反応情報に基づいて取得した反応度合に重み付けして、前記反応度合を数値として測定する機能と、
を実行させることを特徴とする情報測定プログラム。
【発明の詳細な説明】
【技術分野】
【０００１】
本発明は、映像に対するユーザの反応を測定する情報測定装置に関する。
【背景技術】
【０００２】
近年、ユーザの行動分析や興味の対象及びニーズの調査をする際に、対面でのやり取りではなく、器具やインターネットを利用して行われることが増えている。
【０００３】
器具を利用したユーザ分析のケースとして、アイカメラなどの器具を使用して、被験者の視線の動きや滞留時間、瞳孔の大きさを測定して被験者の状態を調査する手法が挙げられる。例えば、被験者にアイカメラを装着させて走行させて、注視点、注視部分、注視時間を含むデータを取得し、そのデータを無事故運転者と事故惹起運転者のデータと比較することにより、被験者の運転適性を判別するものである。
【０００４】
また、インターネットを利用してニーズを調査するケースとして、行動ターゲッティング広告（追跡型広告）という手法が挙げられる。例えば、広告の対象となるユーザの閲覧履歴を元に、ユーザの興味関心を推測し、ターゲットを絞ってインターネット広告配信を行うものである。
【０００５】
いずれも、器具やインターネットを利用して、ユーザの動作情報を取得し、その動作情報から行動内容をパターン化して、ユーザの状態を測定するものである。
【先行技術文献】
【非特許文献】
【０００６】
【非特許文献１】http://www.kyodoprinting.co.jp/release/2015/20150423-1577.html
【発明の概要】
【発明が解決しようとする課題】
【０００７】
非特許文献１には、「アイトラッキングと研修ビデオによる行動分析パッケージ」に関する記事が掲載されている。アイトラッキングは、「対象物を見たときの視線の動きや滞留時間、瞳孔の大きさを測定し、“心の動き”を数値として把握することで対象物への印象やニーズを調査する手法」としている。前述のアイトラッキングでは、取得した情報「視線の動きや滞留時間、瞳孔の大きさ」に対して画一的に数値へ置換して、その画一的に置換された数値をもって、「心の動き」を把握し、対象物への印象やニーズを調査しようとするものである。その中で、被験者の置かれる被験者環境については言及されていない。すなわち、不特定条件下で、画一的な数値への置換によって、「心の動き」を把握しようとするものである。しかしながら、不特定条件下において画一的に取得した情報を数値へ置換するのみでは、被験者の「対象物への印象やニーズ」などの心理状態や行動パターンを推し量るのに限界があるという問題があった。
【０００８】
そこで、本発明は、管理者の意図する映像を表示させて、その特定の映像に対するユーザの反応情報を取得し、前記映像の表示開始からの経過時間の経緯に伴うユーザの反応情報に基づいて取得した反応度合に重み付けをすることにより、上記問題を解決することを目的とする。
【課題を解決するための手段】
【０００９】
本発明は、映像に対するユーザの反応を測定する情報測定装置であって、前記映像を表示する映像表示部と、前記映像の表示開始からの経過時間を計測する経過時間計測部と、前記映像に対する前記ユーザの反応情報を取得する反応情報取得部と、前記経過時間の経緯に伴う前記反応情報に基づいて取得した反応度合に重み付けして、前記反応度合を数値として測定する測定部と、を有することを特徴とする。
【００１０】
本発明に係る情報測定装置の前記測定部は、前記経過時間の経緯と前記反応情報とによる反応度合置換表に基づいて前記反応度合を数値へ置換するものであることを特徴とする。
【００１１】
本発明に係る情報測定装置の前記反応情報取得部は、前記経過時間を分割し、当該分割した時間帯毎に前記反応情報を取得するものであることを特徴とする。
【００１２】
本発明に係る情報測定装置の前記測定部は、前記経過時間を分割した時間帯によって、前記反応度合に異なる前記重み付けをするものであることを特徴とする。
【００１３】
本発明に係る情報測定装置の前記反応度合置換表は、前記反応度合毎に、１以上の測定値を含むものであることを特徴とする。
【００１４】
本発明に係る情報測定装置の前記反応情報取得部は、予め定められた前記ユーザの身体動作を前記反応情報として取得するものであることを特徴とする。
【００１５】
本発明に係る情報測定装置の前記反応情報取得部は、前記予め定められた前記身体動作の継続時間及び／又は反復間隔時間を前記反応情報として取得するものであることを特徴とする。
【００１６】
本発明に係る情報測定装置の前記測定部が測定した前記数値に基づいて、前記映像に対するユーザの反応度合を出力する反応度合出力部を有することを特徴とする。
【００１７】
本発明に係る情報測定装置の前記反応度合出力部は、前記数値から点数、グラフ、その他のいずれか１つ以上の表示形態により反応度合を可視化することを特徴とする。
【００１８】
本発明に係る情報測定方法は、映像に対するユーザの反応を測定する情報測定方法であって、前記映像を表示するステップと、前記映像の表示開始からの経過時間を計測するステップと、前記映像に対する前記ユーザの反応情報を取得するステップと、前記経過時間の経緯に伴う前記反応情報に基づいて取得した反応度合に重み付けして、前記反応度合を数値として測定するステップと、を実行することを特徴とする。
【００１９】
本発明に係る情報測定プログラムは、映像に対するユーザの反応を測定する情報測定プログラムであって、コンピュータに、前記映像を表示する機能と、前記映像の表示開始からの経過時間を計測する機能と、前記映像に対する前記ユーザの反応情報を取得する機能と、前記経過時間の経緯に伴う前記反応情報に基づいて取得した反応度合に重み付けして、前記反応度合を数値として測定する機能と、を実行させることを特徴とする。
【発明の効果】
【００２０】
本発明によれば、管理者の意図する映像を表示させ、映像に対するユーザの反応情報に映像表示開始からの経過時間の経緯に応じた重み付けをした反応度合を数値として測定することができる。すなわち、特定の条件下において、取得したユーザの反応情報に対して前記条件に沿った重み付けをすることで、瞬時に、より精密な行動・心理状態を推測することが可能である。
【図面の簡単な説明】
【００２１】
【図１】本発明の実施形態１に係る情報測定装置の機能ブロック図である。
【図２】本発明の実施形態１に係る情報測定装置の処理フロー図である。
【図３】本発明の実施形態２乃至実施形態２Ｄに係る情報測定装置の機能ブロック図である。
【図４】本発明の実施形態２乃至実施形態２Ｄに係る情報測定装置の処理フロー図である。
【図５】本発明の実施形態２乃至実施形態２Ｄに係る情報測定装置の端末１０の画面を示す図であり、（ａ）はコメントの入力画面であり、（ｂ）は広告の表示画面である。
【図６】本発明の実施形態２乃至実施形態２Ｄに係る情報測定装置のスクリーン３０の画面を示す図であり、（ａ）はコメントの表示画面であり、（ｂ）はコメントの結果画面である。
【図７】本発明の実施形態２乃至実施形態２Ｄに係る情報測定装置のサーバ２０で保持する設定情報であり、（ａ）は反応情報にコードを割り当てた反応情報コード表、（ｂ）は測定値にコードを割り当てた測定値コード表である。
【図８】本発明の実施形態２乃至実施形態２Ｄに係る情報測定装置のサーバ２０で保持する設定及び／又は記録情報であり、（ａ）は経過時間の経緯と反応情報から取得した反応度合を数値へ置換する反応度合置換表、（ｂ）はユーザの入力値例、（ｃ）は（ｂ）の入力値から（ａ）の反応度合置換表を元に数値へ変換した例を示す図である。
【図９】本発明の実施形態２乃至実施形態２Ｄに係る情報測定装置のサーバ２０で保持する設定及び／又は記録情報であり、（ａ）は経過時間の経緯と単発と連打を区別させた反応情報から取得した反応度合を数値へ置換する反応度合置換表、（ｂ）はユーザの入力値例、（ｃ）は（ｂ）の入力値から（ａ）の反応度合置換表を元に数値へ変換した例を示す図である。
【図１０】本発明の実施形態３乃至実施形態３Ｅに係る情報測定装置の機能ブロック図である。
【図１１】本発明の実施形態３乃至実施形態３Ｅに係る情報測定装置の処理フロー図である。
【図１２】本発明の実施形態３乃至実施形態３Ｅに係る情報測定装置のサーバ２０で保持する設定情報であり、（ａ）は反応情報にコードを割り当てた反応情報コード表、（ｂ）は測定値にコードを割り当てた測定値コード表である。
【図１３】本発明の実施形態３乃至実施形態３Ｅに係る情報測定装置のサーバ２０で保持する設定及び／又は記録情報であり、（ａ）は経過時間の経緯と反応情報から取得した反応度合を数値へ置換する反応度合置換表、（ｂ）はユーザの入力値例、（ｃ）は（ｂ）の入力値から（ａ）の反応度合置換表を元に数値へ変換した例、（ｄ）は（ｂ）のユーザの二回目の入力値例、（ｅ）は（ｄ）の入力値から（ａ）の反応度合置換表を元に数値へ変換した例を示す図である。
【図１４】本発明の実施形態３乃至実施形態３Ｅに係る情報測定装置のサーバ２０で保持する設定情報であり、（ａ）は反応情報にコードを割り当てた反応情報コード表、（ｂ）は測定値にコードを割り当てた測定値コード表である。
【図１５】本発明の実施形態３乃至実施形態３Ｅに係る情報測定装置のサーバ２０で保持する設定及び／又は記録情報であり、（ａ）は経過時間の経緯と反応情報から取得した反応度合を数値へ置換する複数の測定値を有する場合の反応度合置換表、（ｂ）はユーザの入力値例、（ｃ）は（ｂ）の入力値から（ａ）の反応度合置換表を元に数値へ変換した例、（ｄ）は（ｃ）の結果を元にレーダーチャート化した表を示す図である。
【図１６】本発明の実施形態３乃至実施形態３Ｅに係る情報測定装置のサーバ２０で保持する設定及び／又は記録情報であり、（ａ）は経過時間の経緯と注視時間別に取得した反応情報から取得した反応度合を数値へ置換する反応度合置換表、（ｂ）はユーザの入力値例、（ｃ）は（ｂ）の入力値から（ａ）の反応度合置換表を元に数値へ変換した例を示す図である。
【図１７】本発明の実施形態３乃至実施形態３Ｅに係る情報測定装置の端末１０が取得する注視範囲を表した図である。
【発明を実施するための形態】
【００２２】
以下、図面を参照して、本発明によるユーザの反応を測定する情報測定装置を実施するための形態について説明する。
【００２３】
［実施形態１］
以下、本発明の実施形態を図に基づいて詳細に説明する。
図１に基づいて、映像を表示して、当該映像の表示開始からの経過時間の経緯に伴うユーザの反応情報に基づいて取得した反応度合に重み付けをすることで、より精密な行動・心理状態を推測することを可能にした例を実施形態１として説明する。
【００２４】
明細書中における用語について以下に説明する。明細書中において、映像とは、教育、訓練、娯楽、広告、音楽、生放送、その他を目的とした映像を示すものである。
【００２５】
ユーザの反応情報とは、当該映像に対するユーザの反応に関する情報、すなわち、ユーザの身体部位（視線や首の動き、指の動き、ジャンプ、かがむ、手足の動き、発声、脈拍、その他等）からの身体動作を含む反応のことである。
【００２６】
経過時間とは、当該映像の表示開始からの時間を経過時間とし、経過時間の経緯とは、前記表示開始からどのように時間がすすんでいったのか、そのいきさつを示すものとし、経過時間の経緯に伴う反応情報とは、当該経過時間内にどのようなユーザの反応が生じているか、を示すものとする。具体的には、本発明で端末内に経過時間計測部３及び反応情報取得部４を有する構成とした場合、前述のユーザの反応情報を指の動きとして取得した際に、連打やダブルクリック又は単発でのタップの判別を行うことが、前述の経過時間の経緯に伴う反応情報として含まれる。なお、どのようなユーザの反応が生じているか取得できればよく、上記に限定されない。
【００２７】
反応度合とは、経過時間の経緯とユーザの反応情報に基づいて取得する反応の度合いのことを示す。すなわち、興奮、落胆、喜び等を含む心理的な度合いや、注意力、反応速度等を含む能力的な度合いのことである。
【００２８】
重み付けとは、重要度に応じた定量評価（点数化）を行うことである。本発明においては、映像の重要度、ユーザの反応の重要度、時間（経過時間や経過時間の経緯）の重要度、その他の重要度に対して、定量評価を行い、前述の反応度合に含めて数値化するものを示す。
【００２９】
［構成］
図１は、本発明の実施形態１に係るシステム構成を示す図である。
図１において、情報測定装置１は、映像表示部２と、経過時間計測部３と、反応情報取得部４と、経過時間計測部３と反応情報取得部４からの情報を受け付ける測定部５を有している。
【００３０】
図１では情報測定装置１を一つの装置として構成する形態を示しているが、複数のユーザがそれぞれ所持する端末と、端末とサーバを接続する通信網（図示せず。）と、通信網を介して通信を受け付けて種々の設定・登録・管理等を行うサーバを有する形態としてもよく、映像表示部２、経過時間計測部３、反応情報取得部４、測定部５の機能を有していれば、いずれの構成としてもよい。
【００３１】
前記通信網を有する場合、通信網とは、公衆交換電話網（ＰＳＴＮ）、携帯電話網、ＩＰ電話網、閉域網、無線ＬＡＮ（ＷｉＦｉ）等であり、ネットワークその他の通信網として機能するものであればよい。
【００３２】
前記端末を有する場合、端末は、スマートフォン、携帯電話、ＰＣ（Ｐｅｒｓｏｎａｌ  Ｃｏｍｐｕｔｅｒ）、タブレット等であり、前記機能を実施できるものであればよい。
【００３３】
次に、本発明の実施形態１の動作を説明する。
図１の構成において、図２に示されるステップで処理が実行される。まず、管理者の意図する映像の表示を開始する（図２のステップＳ１）。同時に、経過時間計測部３は映像の表示開始からの経過時間の計測を開始する（図２のステップＳ２）。反応情報取得部４は、映像に対するユーザの身体部位（視線や首の動き、指の動き、ジャンプ、かがむ、手足の動き、発声、脈拍、その他等）からの身体動作を含む経過時間の経緯に伴う反応情報を取得する（図２のステップＳ３）。当該反応情報には、ユーザが何ら反応しなかった場合でも、反応していない旨の情報が含まれる。
【００３４】
次に測定部５は、経過時間計測部３及び反応情報取得部４の情報を得て、経過時間の経緯に伴う反応情報に基づいて反応度合を取得し、当該反応度合に重み付けを行い（図２のステップＳ４）、重み付けをされた反応度合を数値として測定する（図２のステップＳ５）。映像が表示されている場合（図２のステップＳ６  Ｙｅｓ）、図２のステップＳ３乃至Ｓ５の処理を繰り返す。映像の表示が終了した場合（図２のステップＳ６  Ｎｏ）、測定部５による測定結果の数値を出力してもよいし（図２のステップＳ７）、数値の加工を行ってもよく、測定結果の使用方法、活用方法については限定されない。すべての処理が完了したら、処理を終了する（図２のステップＳ８）。
【００３５】
本発明の実施形態１によれば、前述の処理をすることにより、ユーザの反応情報を画一的に数値へ置換するものではなく、前述の映像に対するユーザの反応を反応度合として捉えて、映像の重要度、ユーザ反応の重要度、時間（経過時間や経過時間の経緯）の重要度、その他の重要度、それぞれに重み付けをした結果を数値として取得することが可能となった。言い換えれば、状況に応じた重み付けをすることで、ユーザの反応度合、すなわち心理的な度合いや、能力的な度合いを瞬時に、かつ、多角的に捉えることが可能となった。
【００３６】
以上の説明では、本発明をハードウェアの情報測定装置として構築したが、本発明は端末及びサーバのコンピュータ（ＣＰＵ）でメモリに記憶されたアプリケーションを実行することにより、ソフトウェア上に上述した映像表示部、経過時間計測部、反応情報取得部、測定部を構築するためのプログラムとして構築してもよいものである。
【００３７】
具体的には、本発明の実施形態においてコンピュータに実行させるプログラムは、映像に対するユーザの反応を測定する情報測定プログラムであって、前記コンピュータに、前記映像を表示する機能と、前記映像の表示開始からの経過時間を計測する機能と、前記映像に対する前記ユーザの反応情報を取得する機能と、前記経過時間の経緯に伴う前記反応情報に基づいて取得した反応度合に重み付けして、前記反応度合を数値として測定する機能と、を実行させることにより、前記コンピュータで前記反応度合を測定する構成として構築する。
【００３８】
［実施形態２］
［構成］
実施形態１では、映像に対するユーザの反応度合に重み付けをして行動・心理状態を推測することを可能にする構成としたが、以下の実施形態では、管理者の意図する映像を具体化し、その映像に対するユーザの反応を測定する具体例について説明する。実施形態２は、前記映像を競輪場で競輪の実況映像とする場合の例であって、その構成を図３乃至図６、及び図８を用いて、以下に説明する。
【００３９】
実施形態２の概要を以下に説明する。
実施形態２では、前記映像表示機器に、ファン参加型デジタルサイネージ（以下、スクリーン３０と記載する。）を用いた構成とする。スクリーン３０を競輪場内に設置し、競輪場内に滞在するユーザが所持するスマートフォンやモバイル端末（以下、端末１０と記載する。）にて画面操作により競輪選手をリアルタイムに応援することができる環境を提供する。前記応援とは、端末１０にてユーザによる応援する内容のコメント入力を可能とし（図５（ａ）のコメント入力画面５１）、入力されたコメントは、随時スクリーン３０に掲示される（図６（ａ）のスクリーン映像コメント表示画面５３）。同時に、ユーザの入力コメント及び経過時間の経緯に基づいて取得した反応度合に重み付けをして、ユーザの興奮、落胆、喜び等を含む心理的な度合いを数値として測定することを可能とする。
【００４０】
実施形態２の機器構成を以下に説明する。
図３において、情報測定装置１は、複数のユーザがそれぞれ所持する端末１０と、端末１０とサーバ２０とを接続する通信網５０と、通信網５０を介して通信を受け付けて種々の設定・登録・管理等を行うサーバ２０と、通信網５０を介して通信を受け付けて映像を表示するスクリーン３０と、サーバ２０からの情報を受け付ける記録部４０を有している。
【００４１】
端末１０は、通信網５０を介して通信を行う通信部１１と、各種制御を行う制御部１２と、ユーザのコメント入力を行う入力部１３と、入力部１３の入力値を反応情報として取得する反応情報取得部４と、映像の表示開始からの経過時間の経緯を計測する経過時間計測部３を有している。
【００４２】
スクリーン３０は、通信網５０を介してサーバ２０からの情報を受信する通信部３１と、各種制御を行う制御部３２と、映像の表示を行う映像表示部２と、端末１０の入力部１３の入力値を出力する出力部３３と、映像表示部２及び出力部３３から取得した映像及びコメントを表示する表示部３４を有している。
【００４３】
サーバ２０は、通信網５０を介して通信を行う通信部２１と、各種制御を行う制御部２２と、端末１０の反応情報取得部４と経過時間計測部３から取得した反応度合に重み付けを行う重み付け部２３と、重み付けされた反応度合を数値として測定する測定部５と、測定部５で測定した前記数値に基づいて、前記映像に対するユーザの反応度合を出力する反応度合出力部２４を有する。
【００４４】
記録部４０は、サーバ２０が端末１０の反応情報取得部４及び／又は経過時間計測部３から受け付けた情報を含む、設定・登録・管理等を行うための情報を記録するのに用いる。
【００４５】
なお、機器構成は上記に限定されるものではなく、例えば、端末１０の経過時間計測部３及び反応情報取得部４をサーバ２０が有する構成としてもよい。
【００４６】
次に、本発明の実施形態２の動作を説明する。
サーバ２０は競輪の実況映像の表示指示をスクリーン３０へ行い（図４のステップＳ１１）、スクリーン３０の映像表示部２は表示部３４へ映像の表示指示を行い、表示部３４は実況映像の表示を開始する（図４のステップＳ１３）。サーバ２０は、競輪がスタートすると同時に端末１０へ経過時間の計測開始指示を行い（図４のステップＳ１２）、端末１０は、サーバ２０からの指示を受けて、経過時間計測部３で経過時間の計測を開始し（図４のステップＳ１４）、入力部１３は、図５（ａ）のコメント入力画面５１を表示する。端末１０の入力部１３に対して、応援内容のコメントが入力されると（図４のステップＳ１５）、端末１０の反応情報取得部４はコメント内容を含む予め定められた前記ユーザの身体動作を前記反応情報として取得する（図４のステップＳ１６）。端末１０の制御部１２は、反応情報取得部４が取得した反応情報、及び経過時間計測部３が計測した経過時間を取得して、通信部１１は前記取得した情報をサーバ２０へ送信する（図４のステップＳ１７）。
【００４７】
サーバ２０は受信したコメントの表示に関する精査を行い（図４のステップＳ１８）、スクリーン３０へコメント表示指示を行う（図４のステップＳ１９）。スクリーン３０の出力部３３は表示部３４へコメントの表示指示を行い、表示部３４は、競輪の実況映像上に、表示指示を受けたコメントを出力する（図４のステップＳ２０）。なお、前記精査とは、サーバ２０にコメントが集中した場合の表示順序や、フリーワード入力を可能とする実施形態である場合の不適切なコメントの削除などを含む処理である。前記精査は、実施形態に応じて設けても設けなくてもよい。
【００４８】
サーバ２０の重み付け部２３は、図４のステップＳ１７で受信した反応情報及び経過時間から反応度合に重み付けを行い（図４のステップＳ２１）、測定部５は、重み付けされた反応度合を数値として測定する（図４のステップＳ２２）。前記数値とは、前記経過時間の経緯と前記反応情報とによる反応度合置換表（図８（ａ）に図示。）に基づいて前記反応度合を数値へ置換するものである。
【００４９】
サーバ２０の反応度合出力部２４は、前記数値を記録部４０に前記映像に対するユーザの反応度合として出力する（図４のステップＳ２３）。記録部４０は、前記反応度合を記録する。なお、反応度合出力部２４は反応度合を前記の通り記録部４０へ出力してもよいし、その他へ出力してもよく、出力先は限定されない。また、図４のステップＳ２３で行っているが、映像表示終了後（図４のステップＳ２７  Ｎｏ）にまとめて出力してもよく、出力のタイミングは限定されない。
【００５０】
競輪の実況映像が終了していない場合（図４のステップＳ２７  Ｙｅｓ）、ステップＳ１５乃至ステップＳ２３の処理を繰り返す。競輪の実況映像が終了した場合（図４のステップＳ２７  Ｎｏ）、サーバ２０は端末１０へコメント入力終了の指示を行い（図４のステップＳ２９）、処理を終了する（図４のステップＳ３１）。端末１０の入力部１３は図５（ａ）コメント入力画面５１を終了する（図４のステップＳ３０）。スクリーン３０の表示部３４は実況映像を終了する（図４のステップＳ２８）。
【００５１】
本発明の実施形態２によれば、経過時間の経緯とユーザのコメント内容から、ユーザの反応度合を数値として取得することが可能となっている。端末からの入力コメントがスクリーンへ反映されることにより、端末への入力を促すことにも繋がり、サーバで取得する反応情報が活性化する。サーバで取得する反応情報が増加すると、それに応じて測定される反応度合も増加し、すなわち、より精密な行動・心理状態を推測することが可能となる。
【００５２】
図４のステップＳ２１でサーバ２０の重み付け部２３は反応度合に重み付けを行っているが、重み付けとは重要度のことであり、どのような反応度合（または、心理状態の種別）の取得を目的とするか、によって、重み付けの対象と値は異なってくる。
【００５３】
［実施形態２Ａ］
［構成］
実施形態２では、端末から取得した経過時間及び反応情報に基づいて、サーバで反応度合に重み付けを行う構成としたが、実施形態２Ａでは、当該反応度合に対する重み付けの方法、及び取得した反応度合を表す数値の活用を可能とする構成の一例を図３乃至図５及び図７乃至図８を用いて、以下に説明する。なお、その他の構成は実施形態２の構成と同様である。
【００５４】
実施形態２Ａの概要を以下に説明する。
実施形態２Ａでは、競輪の実況映像とユーザのコメント内容に重み付けを行って、反応度合を興奮の度合いとして捉える事例を説明する。さらに、前記興奮の度合いを利用して、ユーザの心理状態に適した商品を紹介することとする。
【００５５】
実施形態２Ａの機器構成を以下に説明する。
図３において、端末１０に反応情報取得部４と経過時間計測部３から取得した情報をもとにサーバ２０の広告指示部２５で表示指示を出された広告を表示する広告表示部１４を付加し、サーバ２０に、反応度合に応じた広告の表示を指示する広告指示部２５を付加した構成とする。
【００５６】
次に、実施形態２Ａの動作を説明する。
サーバ２０は競輪の実況映像の表示指示をスクリーン３０へ行い（図４のステップＳ１１）、スクリーン３０の映像表示部２は表示部３４へ映像の表示指示を行い、表示部３４は実況映像の表示を開始する（図４のステップＳ１３）。サーバ２０は、競輪がスタートすると同時に端末１０へ経過時間の計測開始指示を行い（図４のステップＳ１２）、端末１０は、サーバ２０からの指示を受けて、経過時間計測部３で経過時間の計測を開始し（図４のステップＳ１４）、入力部１３は、図５（ａ）のコメント入力画面５１を表示する。端末１０の入力部１３に対して、応援内容のコメントが入力されると（図４のステップＳ１５）、端末１０の反応情報取得部４はコメント内容を含む予め定められた前記ユーザの身体動作を前記反応情報として取得する（図４のステップＳ１６）。端末１０の制御部１２は、反応情報取得部４が取得した反応情報、及び経過時間計測部３が計測した経過時間を取得して、通信部１１は前記取得した情報をサーバ２０へ送信する（図４のステップＳ１７）。
【００５７】
前述の図４のステップＳ１７の処理は反応情報の取得（図４のステップＳ１６）単位で随時行ってもよいが、実施形態２Ａでは、前記経過時間を分割し、当該分割した時間帯毎に前記反応情報を取得するものとして記載する。
【００５８】
サーバ２０は受信したコメントの表示に関する精査を行い（図４のステップＳ１８）、スクリーン３０へコメント表示指示を行う（図４のステップＳ１９）。スクリーン３０の出力部３３は表示部３４へコメントの表示指示を行い、表示部３４は、競輪の実況映像上に、表示指示を受けたコメントを出力する（図４のステップＳ２０）。なお、前記精査とは、サーバ２０にコメントが集中した場合の表示順序や、フリーワード入力を可能とする実施形態である場合の不適切なコメントの削除などを含む処理である。前記精査は、実施形態に応じて設けても設けなくてもよい。
【００５９】
サーバ２０の重み付け部２３は、図４のステップＳ１７で受信した反応情報及び経過時間から、反応度合に重み付けを行い（図４のステップＳ２１）、測定部５は、重み付けされた反応度合を数値として測定する（図４のステップＳ２２）。前記測定部５の数値とは、前記経過時間の経緯と前記反応情報とによる反応度合置換表（図８（ａ）に図示。）に基づいて前記反応度合を数値へ置換するものである。
【００６０】
サーバ２０の反応度合出力部２４は、前記数値を記録部４０に前記映像に対するユーザの反応度合として出力する（図４のステップＳ２３）。記録部４０は、前記反応度合を記録する。なお、反応度合出力部２４は反応度合を前記の通り記録部４０へ出力してもよいし、その他へ出力してもよく、出力先は限定されない。また、図４のステップＳ２３で行っているが、映像表示終了後（図４のステップＳ２７  Ｎｏ）にまとめて出力してもよく、出力のタイミングは限定されない。
【００６１】
前記数値として取得した反応度合が一定値を超えた場合に、サーバ２０の広告指示部２５は、ユーザの興奮度合に応じた広告を判定して取得し（図４のステップＳ２４）、端末１０へ広告の表示指示を行う（図４のステップＳ２５）。端末１０の広告表示部１４は当該広告（図５（ｂ）に図示。）を表示する（図４のステップＳ２６）。
【００６２】
競輪の実況映像が終了していない場合（図４のステップＳ２７  Ｙｅｓ）、ステップＳ１５乃至ステップＳ２２の処理を繰り返す。競輪の実況映像が終了した場合（図４のステップＳ２７  Ｎｏ）、サーバ２０は端末１０へコメント入力終了の指示を行い（図４のステップＳ２９）、処理を終了する（図４のステップＳ３１）。端末１０の入力部１３は図５（ａ）コメント入力画面５１を終了する（図４のステップＳ３０）。スクリーン３０の表示部３４は実況映像を終了する（図４のステップＳ２８）。
【００６３】
次に、上述の図４のステップＳ２２で使用する反応度合置換表について、以下に説明する。
反応度合置換表（図８及び図９に図示。）は、上記の通り反応度合を数値へ置換する表を示す。前記反応度合置換表は実施形態２Ａを実施するうえで、事前に設定しておく必要がある。図７に示す通り、反応情報と測定値をそれぞれ値として設定する。
【００６４】
反応情報とは、予め定められたユーザの身体動作のことであり、端末１０をスマートフォンやタブレット端末として、指で使用する場合にはタップ操作、マウスを使用する場合にはクリック操作のことを指す。また、端末１０を押しボタン式携帯電話とした場合にはボタン押下の動作のことを指す。いずれも端末１０で検知可能な入力項目を反応情報とする。図７（ａ）は、前記反応情報に対してコードを割り当てる表である。
【００６５】
測定値とは、本発明においては、どのような反応度合（または、心理状態の種別）の取得を目的とするかによって設定する値であり、実施形態２Ａでは、ユーザの心理状態に適した商品の選別を目的として使用する。従って、図７（ｂ）は、商品に対して測定値を割り当てる表としている。
【００６６】
前記反応度合置換表を、図８を用いて、以下に説明する。
なお、本発明において、映像は事前に特定されているため、表示開始から終了までのおおよその時間が特定可能である。実施形態２Ａでは、競輪の実況映像であるため、正確な時間は事前に特定できないが、開催レース毎にある程度の予測は可能である。
【００６７】
図８（ａ）では、競輪のスタートからゴールまでを５分とし、５分を１０分割して、１分割あたり３０秒と等間隔に設定する例を示す。分割単位は等間隔でもよいし、各分割単位で１分割あたりの時間を定めて不等間隔としてもよい。また、レースが５分以上となった場合には１０分割目（図８（ａ）のＴ１０）をそのまま利用するものとする。
【００６８】
前記スタートからゴールまでの経過時間を横軸とし、縦軸を図７（ａ）で設定した反応情報のコードとする。図８（ａ）のマトリクスから、前記経過時間と前記反応情報を使用して、重み付けされた反応度合の数値を取得する。
【００６９】
例えば、開始４０秒後に「入れ！」を入力した場合、図８（ａ）のマトリクスから５７Ａの枠内の値「Ｘ＝１」を取得する。枠内の値「Ｘ」は、図７（ｂ）を参照すると、「アルコール」に対して数値が入ったことがわかる。これはレース序盤に、早くも興奮状態の窺える端末に対して、このまま興奮が持続するようであれば「アルコール」を進める意図であり、すなわち経過時間の経緯に伴う前記反応情報に基づいて取得した反応度合に重み付けして、前記反応度合を数値として測定している。
【００７０】
また、開始４分２０秒後に前記同様「入れ！」を入力した場合、図８（ａ）のマトリクスから５７Ｂの枠内の値「Ｘ＝８」を取得する。経過時間を分割した時間帯によって、反応度合に異なる重み付けがなされている。同じコメントを入力した場合でも、レース終盤で「入れ！」を入力した方が興奮度は高いと判断され、「アルコール」が表示されやすくする。経過時間に応じて数値が高くなるように設定されており、これは、競輪の性質上、レース序盤からレース終盤にかけてベースとなる興奮度合が高いという見込みのもと、レース開始からの経過時間に対して重み付けされて、図８（ａ）のマトリクスが作成されているためである。なお、上記の説明は経過時間を分割し、当該分割した時間帯毎に前記反応情報を取得するものを前提としているが、経過時間を分割せずに、随時反応情報を取得させてもよい。
【００７１】
更に、開始４分４０秒後に前記同様「ガマン！」を入力した場合、図８（ａ）のマトリクスから５７Ｃの枠内の値「Ｘ＝１０」及び「Ｚ＝１０」を取得する。枠内の値「Ｚ」は、図７（ｂ）を参照すると、「アイス」であることが分かる。これはレース終盤に「ガマン！」という単語を押下することから、ユーザのストレス度合が高いと判断され、「アルコール」及び「アイス」が表示されやすくなる。ここで示されるように、反応度合置換表は、反応度合毎に１以上の測定値を含めることを可能とする。一つの入力値に対して複数の測定値を含めることで、より複雑な心理状態を推測し、心理状態に適した商品を紹介することを可能とする。
【００７２】
図８（ｂ）はあるユーザの入力値例を示す図である。
【００７３】
図８（ｂ）の５８Ａの枠内には、「Ｄ」が三個記載されているが、これは開始１分００秒から１分２９秒の間に「Ｄ」が三回押下されていることが窺える。図８（ａ）の５７Ｄの枠内を参照すると、「Ｄ」一回押下につき、測定値「Ｙ」に「４」加算されることが分かる。従って、「Ｄ」は三回押下されたため、「Ｙ」は「１２」となることが、図８（ｃ）の５９Ａの枠内に表されている。
【００７４】
図８（ｂ）の表の５８Ｂの枠内には、「Ｄ」が二個、「Ｅ」が一個記載されているが、これは開始１分３０秒から１分５９秒の間に「Ｄ」が二回、「Ｅ」が一回押下されていることが窺える。図８（ａ）の５７Ｅの枠内を参照すると「Ｄ」一回押下につき、測定値「Ｙ」に「４」加算されることが分かり、結果「Ｙ」に「８」加算されることとなる。図８（ａ）の５７Ｆの枠内を参照すると何も値が無いことから、「Ｅ」を押下しても、加算されないことが分かる。これは、レース中盤に「ガマン！」を押下しても、競輪の性質上レース展開に動きがあまりないために、重み付けされていないことによるものである。前記計算により、「Ｙ」は合計「２０」となる。ここで、広告表示の閾値を「２０」として設定していた場合には、図５（ｂ）に示した広告表示画面５２の広告内容を「ソフトドリンク」とした広告が、端末上で表示される。
【００７５】
前述の広告表示の閾値とは、広告表示を行うか否かの境界値のことを示す。上記例では、閾値を「２０」としているため、端末の反応情報から反応度合を測定値ごとに集計して、測定値が「２０」となった段階で、該当する広告が表示される仕組みである。広告が表示されると、当該測定値はクリアされ、図８（ｃ）に５９Ｃで示す枠内の状態となる。
【００７６】
前述の広告は、各測定値が閾値を超えた段階で随時表示される仕組みとなっているが、図８（ｃ）に５９Ｄで示す枠内のように、複数の測定値が同時に閾値を超える可能性がある場合には、広告の優先度を事前に設定しておいてもよい。ここでは、図７（ｂ）の測定値の表において、表の順に優先度が高いものとして設定しており、「アルコール」が表示されることとなる。
【００７７】
図４のステップＳ２４で、広告を取得する方法について、以下に説明する。サーバ２０の広告指示部２５では、本実施形態を実施する前に、予め前記測定値と広告を紐付ける表を設定しておく必要がある。前記紐付ける表とは、例えば、図７（ｂ）で測定値に「アルコール」、「ソフトドリンク」、「アイス」とあるが、それに対してそれぞれ図５（ｂ）に示すビール広告画像のような画像を紐付ける表である。前記広告とは、動画、静止画、音声等限定されるものではなく、実施時に予め設定しておけばよいものとする。
【００７８】
本発明の実施形態２Ａによれば、競輪のレースの応援（特に声援）を反応情報として取得して、ユーザの反応度合を興奮度合として捉えて、ユーザの心理状態に適した商品を紹介することを可能としているため、より本発明を商業的に利用することが可能である。
【００７９】
また、反応度合置換表には、予めマーケティング等により人間の行動心理に基づいた値を設定する必要があるが、設定後に図４のステップＳ２４で反応度合出力部２４の出力結果を蓄積し、図４のステップＳ２６で表示された広告を利用して、実際に商品を購入した購入情報と照合することで、常に広告効果を分析することができ、随時反応度合置換表を更新していくことで、より精密な心理状態を測定することが可能となる。
【００８０】
なお、前記広告表示の仕組みは、各測定値が閾値を超えた段階で広告を即時表示させる一例を説明しているが、広告を表示させるタイミングをサーバ２０の反応度合出力部２４で制御させてもよい。例えば、レース開始４分から佳境に入るような場合に、開始４分時点で広告を表示させても購入へ席を立つユーザは少ないと考えられ、開始３分時点で測定値が閾値に達していない場合でも、当該時点で最も高い測定値に該当する広告を表示させるようにしてもよい。前記広告表示を実現するためには、開始からの経過時間と「最も高い測定値に該当する広告を表示する」などの行う処理を予めサーバ２０の反応度合出力部２４へ設定しておく必要がある。また、競輪場内が広く、レース中に気軽に購入しに行けないような場合には、レース終了後に表示させるようにしてもよい。
【００８１】
サーバ２０の反応度合出力部２４は、広告表示のタイミングを制御し、当該タイミングになった時点で、広告を表示する旨の指示を広告指示部２５へ行い、端末１０の広告表示部１４へ広告を表示させる。
【００８２】
また、前述したように表示広告と実際の購入情報を蓄積することで、統計的にどのタイミングで広告を表示するのが一番効果的であるか、またユーザの興奮状態を持続させるために広告を表示させない方がよい時間帯を把握することが可能である。効果的な広告表示のタイミングで広告を表示させるようサーバ２０の反応度合出力部２４へ設定しておいてもよい。なお、前記効果的な広告表示のタイミングの把握に関しては、本発明とは直接関連しないためここでは省略する。
【００８３】
以上のように、測定値や経過時間の分割単位をより細密に行うことで、より精密な心理状態の測定と該心理状態に適した広告を表示（商品を紹介）することが可能となる。
【００８４】
なお、実施形態２Ａの構成は上述した方法及び／又は構成に限定されない。
【００８５】
［実施形態２Ｂ］
［構成］
実施形態２Ａでは、当該反応度合に対する重み付けの方法、及び取得した反応度合を表す数値の活用を可能とする構成としたが、実施形態２Ｂでは、端末上でコメントを入力する際の指の動きに関しても検知する構成の一例を以下に図９を用いて説明する。なお、その他の構成は実施形態２Ａの構成と同様である。
【００８６】
実施形態２Ｂにおいて、指の動きとは、端末上での入力間隔、すなわちボタンの連打やダブルクリック又は単発での入力の判別の区別のことを示す。
【００８７】
なお、前記単発や連打の区別について、以下に記載する。予め、単発と連打を区別するために反復間隔を定義しておく必要がある。前記反復間隔の定義とは、例えば、０．５秒未満に次の反応情報を検知した場合には連打とし、０．５秒以上間隔が空く場合には、単発とする、などである。
【００８８】
サーバ２０は、端末１０の反応情報取得部４から取得した反応情報、及び経過時間計測部３が該反応情報を検知した時間を取得し（図４のステップＳ１７）、直前の反応情報との間隔時間を取得する。前記反復間隔の定義と照合して、例えば、直前の反応情報と０．３秒の間隔であった場合には、連打として反応度合に重み付けを行う（図４のステップＳ２１）。そして、例えば、直前の反応情報と０．６秒の間隔であった場合には、単発として反応度合に重み付けを行う（図４のステップＳ２１）。なお、前記連打と単発の区別は、同一反応情報との間隔時間に限定してもよいし、前記の通り同一反応情報に限定せず、反応情報の間隔時間で行ってもよい。
【００８９】
前記、単発と連打の区別については、実施形態によっては反応情報取得部４で反応情報を取得する際に、シングルクリックとダブルクリックとして区別し、異なる反応情報として取得してもよく、経過時間の経緯に伴う反応情報を取得して、単発と連打の区別が行えればよい。同時に、前述の反復間隔についても、定義する必要がある場合には、実施時に別途定義するものとする。
【００９０】
前記単発、連打の区別をつけてユーザの異なる身体動作として捉えることによって、より細密にユーザの興奮度合の取得を可能とする。単発、連打の区別を行う反応度合置換表の例を図９に示す。
【００９１】
図９（ａ）は、図８（ａ）のマトリクスに対して、更に反応情報を単発、連打で区別させた表としている。図９（ｂ）では、押下したコメントは図８（ｂ）と同一であるものの、６１Ａ枠内のＣ及びＢの押下間隔が短く、連打とみなされた場合の例を示す。「Ｃ，Ｃ，Ｂ，Ｂ」という連続した反応情報と、「Ｂ」という単発の反応情報を取得した結果が、図９（ｃ）の６２Ｄの枠内である。図９（ａ）の反応度合置換表から得た値で計算式を記載すると「Ｃ，Ｃ，Ｂ，Ｂ」という連続した反応情報は、測定値「Ｘ」に対しては「１２，１２，２０，２０」、測定値「Ｚ」に対して「７，７，０，０」となり、「Ｂ」という単発の反応情報は、測定値「Ｘ」に対して「１８」となる。従って、６２Ｄ枠内に示す通り、「Ｘ」は「８２」、「Ｚ」は「１４」となる。
【００９２】
実施形態２Ｂでは、開始からの経過時間だけでなく、単発、連打を含む反復間隔時間に対しても重み付けを行っている。なお、ここでは反復間隔時間を反応情報として取得しているが、押下時間（長押し）等の取得も可能としており、予め定められた身体動作の継続時間及び／又は反復間隔時間を反応情報として取得するものであれば、いずれの方法でもよい。単に入力値のみではなく、端末への入力の経緯（連打、単発等）も含めて反応情報として取得することにより、より精密なユーザの反応の様子を取得することが可能となった。
【００９３】
なお、実施形態２Ｂの構成は上述した方法及び／又は構成に限定されない。
【００９４】
［実施形態２Ｃ］
［構成］
実施形態２乃至実施形態２Ｂでは、競輪場でのユーザの反応度合を取得する構成としたが、実施形態２Ｃでは、更に端末への入力を促し、サーバで取得する反応情報を活性化させる構成の一例を以下に図５乃至図６を用いて説明する。サーバ２０は図３の構成にコメントを集計する集計部を付加した構成とする。なお、その他の構成は実施形態２Ａの構成と同様である。
【００９５】
実施形態２Ｃでは、前述の応援する競輪選手の取得、すなわち、応援する内容のコメントを送る対象の選別を可能とすると同時に、レース終了後にサーバ２０で集計したコメントをランキング化して表示することを可能とする。
【００９６】
実施形態２Ｃの動作について、以下に説明する。
まず、端末１０の入力部１３で、コメント入力画面５１の５１Ａ（図５（ａ）に図示。）に示されるように、選手の数及び色と同数・同色のボタンを表示する。ユーザは、声援を送りたい選手と同色のボタンを選択後、コメントを押下し（図４のステップＳ１５）、端末１０の反応情報取得部４は、色とコメントの押下情報を反応情報として取得する（図４のステップＳ１６）。端末１０は、サーバ２０へ取得した前記反応情報及び経過時間を送信（図４のステップＳ１７）する。
【００９７】
次に、サーバ２０はコメント表示処理を行い（図４のステップＳ１８）、スクリーン３０に、コメントの色を含めたコメント表示指示を行う（図４のステップＳ１９）。スクリーン３０の出力部３３は、表示部３４へコメントの出力指示を行い、表示部３４は、表示映像上にコメントを表示する（図４のステップＳ２０）（図６（ａ）スクリーン映像コメント表示画面５３に図示。）。
【００９８】
サーバ２０は、競輪の実況映像が終了した場合（図４のステップＳ２７  Ｎｏ）、反応情報として取得したコメント情報の集計を集計部にて行い、集計部で集計した集計結果をスクリーン３０へ送信する。前記コメントの集計を行う集計部は図３の機能ブロック図に示していないが、サーバ２０が有する構成とする。また、置換や計算といった処理を統一させるために、測定部５へ集計部の機能を持たせてもよいものとする。スクリーン３０は、図６（ｂ）のスクリーンコメント結果画面５４に示す通り、コメントの集計結果を、出力部３３を介して表示部３４で声援ランキングとして表示する。
【００９９】
実施形態２Ｃによれば、単なる声援ではなく、対象選手に対する声援としてコメントを入力でき、また、それが最終的にランキングとして発表されることから、コメントの入力の活性化を促すことが可能である。前述したとおり、サーバで取得する反応情報（コメント情報）が増加すると、それに応じて測定される反応度合も増加し、すなわち、より精密な行動・心理状態を推測することが可能となる。
【０１００】
なお、実施形態２Ｃの構成は上述した方法及び／又は構成に限定されない。
【０１０１】
［実施形態２Ｄ］
［構成］
実施形態２乃至実施形態２Ｃでは、競輪場でのユーザの反応度合を取得する構成としたが、実施形態２Ｄでは、ユーザの年齢や性別、その他のユーザ情報によって反応度合を異ならせる構成の一例を以下に説明する。なお、その他の構成は実施形態２Ａの構成と同様である。
【０１０２】
実施形態２Ｄの概要を以下に説明する。
実施形態２Ｄでは、前記映像開始、すなわちレース開始前にユーザへアンケートの入力を促す。前記アンケートの項目は、年齢、性別、住所、来場回数等の予め設定された項目とする。例えば、同じ入力（例えば「差せ！」等）をしても、年齢、性別、来場回数等によって興奮度合の傾向は異なるため、前記アンケート内容から取得したユーザ情報に応じた反応度合を取得させる。前記ユーザ情報に応じた反応度合を取得して、適切な広告を各ユーザへ配信する。
【０１０３】
実施形態２Ｄの動作を以下に説明する。
まず、端末１０の入力部１３で、予め設定されたアンケートの入力画面（図示せず。）を表示する。端末１０の反応情報取得部４は、入力されたアンケート内容を取得する。アンケート内容取得後、図４のステップＳ１１乃至ステップＳ１５までの処理は実施形態２Ａと同様に行う。端末１０の反応情報取得部４は、入力されたコメント、経過時間及びアンケート内容を含めた情報を反応情報として取得し（図４のステップＳ１６）、サーバ２０へ送信する（図４のステップＳ１７）。図４のステップＳ１８乃至ステップＳ２０までの処理は実施形態２Ａと同様に行い、サーバ２０の重み付け部２３は反応度合に重み付けを行い（図４のステップＳ２１）、反応度合を数値として測定する（図４のステップＳ２２）。
【０１０４】
前記反応度合は、年齢、性別、来場回数等に応じて異ならせる。具体的には、図４のステップＳ２２で数値として測定する際に使用する反応度合置換表を、一つではなく、年齢、性別、来場回数等ユーザに応じた置換表を複数設定しておく。例えば、年齢２０代女性、来場回数一回のユーザを対象とした反応度合置換表と、年齢２０代女性、来場回数二回〜五回のユーザを対象とした反応度合置換表とをそれぞれ設定しておく。従って、図４のステップＳ２２では、取得したアンケート内容から得られたユーザ情報に基づいて、対象となる反応度合置換表から、反応度合を数値として取得する。
【０１０５】
前記数値として取得した反応度合が一定値を超えた場合に、サーバ２０の広告指示部２５は、ユーザの興奮度合に応じた広告を取得し（図４のステップＳ２４）、端末１０へ広告の表示指示を行う（図４のステップＳ２５）。端末１０の広告表示部１４は当該広告（図５（ｂ）に図示。）を表示する（図４のステップＳ２６）。図４のステップＳ２７乃至図４のステップＳ３１の処理は、実施形態２Ａと同様に行う。
【０１０６】
前記アンケート内容から取得したユーザ情報別に使用する反応度合置換表を異ならせることで、より精密な興奮度合を取得することが可能となる。例えば、８０代男性が対象である場合、高い興奮状態が読み取れていてもスナック菓子を食べる欲求とは繋がりにくく、例えばアルコール飲料やその他の飲食物等の広告表示が適切である。また、７０代女性と２０代男性では、端末への入力反応速度も異なることが予想され、図９（ａ）のような反応度合置換表を使用する場合には、回数に対する重み付けを異ならせることで、各ユーザに応じた反応度合を取得することが可能となる。
【０１０７】
なお、アンケート内容は、年齢、性別、住所、来場回数に限定されず、例えば、当該競輪場で飲食物の広告を重点的に行うような場合には、飲酒の可否や甘党、辛党等を入力させることで、よりユーザに応じた広告を表示することが可能となる。
【０１０８】
なお、実施形態２Ｄの構成は上述した方法及び／又は構成に限定されない。
【０１０９】
［実施形態３］
［構成］
実施形態１では、映像に対するユーザの反応度合に重み付けをして行動・心理状態を推測することを可能にする構成とし、実施形態２以降では、管理者の意図する映像を具体化し、その映像に対するユーザの反応を測定する具体例について説明することとした。実施形態２は、前記映像を競輪場で競輪の実況映像とする場合の例を説明したが、実施形態３は、前記映像を自転車の路上運転指導を行うための映像とする場合の例を、図１０乃至図１１を用いて、以下に説明する。
【０１１０】
実施形態３の概要を以下に説明する。
実施形態３では、前記映像表示機器に、スマートフォン及びＶＲ（Ｖｉｒｔｕａｌ  Ｒｅａｌｉｔｙ）ヘッドセット（以下、端末１０と記載する。）を用いた構成とする。指導を受ける者（以下、受講者と記載する。）は頭部にスマートフォンをセットしたＶＲヘッドセットを装着し、自転車の路上運転指導者（以下、指導者と記載する。）が使用するタブレット端末（以下、管理端末６０）により端末１０へ映像表示指示を行うことを可能とする環境を提供する。前記管理端末６０は、スマートフォン、携帯電話、ＰＣ（Ｐｅｒｓｏｎａｌ  Ｃｏｍｐｕｔｅｒ）、タブレット等であり、前記機能を実施できるものであればよい。受講者は、自転車の路上運転指導を行うための映像を視聴し、端末１０は角度を検知して、角度を含む情報を反応情報として取得し、サーバ２０は、該反応情報及び経過時間の経緯に基づいて取得した反応度合に重み付けをして、注意力や反応速度を含む能力的な度合いを数値として測定することを可能とする
【０１１１】
実施形態３の機器構成を以下に説明する。
図１０において、情報測定装置１は、複数の受講者がそれぞれ所持する端末１０と、端末１０とサーバ２０とを接続する通信網５０と、通信網５０を介して通信を受け付けて種々の設定・登録・管理等を行うサーバ２０と、通信網５０を介して通信を受け付けて端末１０の管理を行う管理端末６０と、サーバ２０からの情報を受け付ける記録部４０を有している。
【０１１２】
端末１０は、通信網５０を介して通信を行う通信部１１と、各種制御を行う制御部１２と、受講者の反応を反応情報として取得する反応情報取得部４と、映像の表示開始からの経過時間の経緯を計測する経過時間計測部３を有している。
【０１１３】
サーバ２０は、通信網５０を介して通信を行う通信部２１と、各種制御を行う制御部２２と、端末１０の反応情報取得部４と経過時間計測部３から取得した反応度合に重み付けを行う重み付け部２３と、重み付けされた反応度合を数値として測定する測定部５と、測定部５で測定した前記数値に基づいて前記映像に対するユーザの反応度合を出力する反応度合出力部２４を有する。
【０１１４】
記録部４０は、サーバ２０で受け付けた情報を記録するのに用いる。
【０１１５】
管理端末６０は、通信網５０を介して通信を行う通信部６１と、各種制御を行う制御部６２と、端末１０への各種指示を行う指示部６３と、サーバ２０の反応度合出力部２４で出力した結果を表示する結果表示部６４を有している。
【０１１６】
なお、機器構成は上記に限定されるものではなく、例えば、端末１０の経過時間計測部３及び反応情報取得部４をサーバ２０が有する構成としてもよい。
【０１１７】
次に、本発明の実施形態３の動作を以下に、図１１を用いて説明する。
まず、管理端末６０は、指示部６３にて自転車の路上運転指導を行うための映像の表示を行う旨の端末１０への指示をサーバ２０へ送信する（図１１のステップＳ４１）。サーバ２０は、端末１０へ映像の表示指示及び経過時間の計測開始指示を行う（図１１のステップＳ４２）。端末１０は、サーバ２０からの指示を受けて、映像表示部２にて映像の表示を開始し、経過時間計測部３で経過時間の計測を開始する（図１１のステップＳ４３）。端末１０の反応情報取得部４は、角度を検知して、予め定められた前記ユーザの身体動作を前記反応情報として取得する（図１１のステップＳ４４）。前記角度の検知及び経過時間を照合することで、受講者が何をどのように注視していたか、を取得することが可能である。
【０１１８】
次に、端末１０は、反応情報取得部４が取得した反応情報、及び経過時間計測部３が計測した経過時間をサーバ２０へ送信する（図１１のステップＳ４５）。
【０１１９】
サーバ２０の測定部５は、図１１のステップＳ４５で受信した反応情報及び経過時間の経緯に基づいて反応度合に重み付けを行い（図１１のステップＳ４６）、前記経過時間の経緯と前記反応情報とによる反応度合置換表（図１３（ａ）に図示。）に基づいて前記反応度合を数値へ置換して測定する（図１１のステップＳ４７）。
【０１２０】
自転車の路上運転指導を行うための映像が終了していない場合（図１１のステップＳ４８  Ｙｅｓ）、ステップＳ４４乃至ステップＳ４７の処理を繰り返す。映像が終了した場合（図１１のステップＳ４８  Ｎｏ）、サーバ２０の反応度合出力部２４は測定結果を出力し（図１１のステップＳ４９）、管理端末６０へ測定結果を送信する（図１１のステップＳ５０）。管理端末６０の結果表示部６４は、受信した測定結果を表示して（図１１のステップＳ５１）、すべての処理を終了する（図１１のステップＳ５３）。
【０１２１】
自転車は、幼少期から親しみやすい乗り物であり、早期に、また手軽に受けられる自転車の運転教育が求められている。しかしながら、自転車の運転技術に関しては軽視される傾向があり、一人ひとりの能力的な度合いを測定する機会は極めて少なかった。
【０１２２】
本発明の実施形態３によれば、経過時間の経緯と受講者の反応情報から、受講者が何をどのように注視していたか、を取得することが可能となっている。管理端末から複数の端末へ一斉に映像を表示させて、映像終了時に管理端末に測定結果を表示させることで、指導者側で受講者の注意力や反応速度を含む能力的な度合いを瞬時に把握することが可能となる。また、スマートフォンやタブレット端末を用いることで、手軽に、大人数を対象とした自転車の路上運転指導を実施することができる。
【０１２３】
［実施形態３Ａ］
［構成］
実施形態３では、端末から取得した経過時間及び反応情報に基づいて、サーバで反応度合に重み付けを行う構成としたが、実施形態３Ａでは、当該反応度合に対する重み付けの具体的な方法、及び取得した反応度合を表す数値の出力を行う構成の一例を図１０乃至図１３を用いて、以下に説明する。なお、その他の構成は実施形態３の構成と同様である。
【０１２４】
実施形態３Ａの概要を以下に説明する。
実施形態３Ａでは、自転車の路上運転指導を行うための映像を視聴した経過時間の経緯及び角度に基づいて取得した反応情報に重み付けを行って、反応度合を能力的な度合いとして捉えることにより、受講者の運転能力を測る事例を説明する。
【０１２５】
実施形態３Ａの動作を説明する。
まず、管理端末６０は、指示部６３にて自転車の路上運転指導を行うための映像の表示を行う旨の端末１０への指示をサーバ２０へ送信する（図１１のステップＳ４１）。サーバ２０は、端末１０へ映像の表示指示及び経過時間の計測開始指示を行う（図１１のステップＳ４２）。端末１０は、サーバ２０からの指示を受けて、映像表示部２にて映像の表示を開始し、経過時間計測部３で経過時間の計測を開始する（図１１のステップＳ４３）。端末１０の反応情報取得部４は、角度を検知して、予め定められた前記ユーザの身体動作を前記反応情報として取得する（図１１のステップＳ４４）。前記角度の検知及び経過時間を照合することで、受講者が何をどのように注視していたか、を取得することが可能である。なお、前記反応情報取得部４は、前記経過時間を分割し、当該分割した時間帯毎に前記反応情報を取得するものである。実施形態３Ａでは、経過時間を分割する形態を説明するが、分割せずに反応情報を随時、又は、映像終了後にまとめて取得する形態としてもよい。
【０１２６】
次に、端末１０は、反応情報取得部４が取得した反応情報、及び経過時間計測部３が計測した経過時間をサーバ２０へ送信する（図１１のステップＳ４５）。
【０１２７】
サーバ２０の測定部５は、図１１のステップＳ４５で受信した反応情報及び経過時間の経緯に基づいて反応度合に重み付けを行い（図１１のステップＳ４６）、前記経過時間の経緯と前記反応情報とによる反応度合置換表（図１３（ａ）に図示。）に基づいて前記反応度合を数値へ置換して測定する（図１１のステップＳ４７）。
【０１２８】
自転車の路上運転指導を行うための映像が終了していない場合（図１１のステップＳ４８  Ｙｅｓ）、ステップＳ４４乃至ステップＳ４７の処理を繰り返す。映像が終了した場合（図１１のステップＳ４８  Ｎｏ）、サーバ２０の反応度合出力部２４は測定結果を出力し（図１１のステップＳ４９）、管理端末６０へ測定結果を送信する（図１１のステップＳ５０）。管理端末６０の結果表示部６４は、受信した測定結果を表示して（図１１のステップＳ５１）、すべての処理を終了する（図１１のステップＳ５３）。
【０１２９】
次に、経過時間を分割した時間帯によって、反応度合に異なる重み付けをする例を、図１３（ａ）の反応度合置換表に基づいて、以下に説明する。
【０１３０】
反応度合置換表（図１３（ａ）に図示。）は、上記の通り反応度合を数値へ置換する表を示す。前記反応度合置換表は実施形態３Ａを実施するうえで、事前に設定しておく必要がある。図１２に示す通り、反応情報と測定値をそれぞれ値として設定する。
【０１３１】
反応情報とは、予め定められたユーザの身体動作、すなわち端末による角度の検知を含む情報のこととする。図１２（ａ）は、前記反応情報に対してコードを割り当てる表である。
【０１３２】
測定値とは、本発明においては、どのような反応度合（または、心理状態の種別）の取得を目的とするかによって設定する値であり、実施形態３Ａでは、ユーザの能力的な度合いを測定する目的として使用し、図１２（ｂ）は、「実技点」のみ設定する例である。
【０１３３】
前記反応度合置換表を、図１３（ａ）を用いて、以下に説明する。
なお、本発明において、映像は事前に特定されているため、表示開始から終了までの時間が特定可能である。
【０１３４】
図１３（ａ）では、自転車の路上運転指導映像のスタートからゴールまでを５分とし、５分を１０分割して、１分割あたり３０秒と等間隔に設定する例を示す。分割単位は等間隔でもよいし、各分割単位で１分割あたりの時間を定めて不等間隔としてもよい。
【０１３５】
前記スタートからゴールまでの経過時間を横軸とし、縦軸を図１３（ａ）で設定した反応情報のコードとする。図１１（ａ）のマトリクスから、前記経過時間と前記反応情報を使用して、重み付けされた反応度合の数値を取得する。
【０１３６】
例えば、開始４０秒後に「左右を見」た場合、図１３（ａ）のマトリクスから６５Ａの枠内の値「Ｘ＝５」を取得する。このことを示す図が、図１３（ｂ）であり、枠内の値「Ｘ」は、図１３（ｃ）の６７Ａの枠内を参照すると、「５」が入ったことがわかる。これは、図１３（ａ）の上部に記載の通り、交差点の映像が流れている。受講者が交差点に面した際にきちんと左右を確認できているか、を重視する意図である。すなわち経過時間の経緯に伴う前記反応情報に基づいて取得した反応度合に重み付けして、前記反応度合を数値として測定している。なお、本発明は静止画ではなく動画に適用されるものであるから、図１３（ａ）に示される「交差点、信号、歩行者、車」等の映像の位置は固定されているものではないため、本実施形態の実施時には、別途、「交差点、信号、歩行者、車」等の位置を数値化した座標を動画に伴って設定しておく必要がある。
【０１３７】
また、図１３（ａ）のマトリクス内で常に「Ｅ」が「−２」とされているが、「Ｅ＝下を見る」ことにより、運転の危険度合が増すために減点される。図１３（ｂ）及び（ｃ）の受講者の例では、４分００秒から４分２９秒の間に下を見ており、６７Ｂに示す通り「−２」されている。
【０１３８】
上記のように、各数値を実技点とし、実技点の合計値を最後に出力する。図１３（ｂ）及び（ｃ）に示す受講者の実技点の測定結果は、６７Ｃ枠内の「１３」である。測定結果の出力項目は、合計値の「１３」であってもよいし、「交差点、信号、歩行者、車」等のチェックポイント毎に出力してもよく、取得した情報の出力方法はいずれでもよい。
【０１３９】
いずれにしても、受講者の自転車の運転技術を含む能力的な度合いを数値として測定することが可能となり、指導者も受講者の習得箇所と未習得箇所の把握が容易になり、より安全な自転車の運転を促すことが可能となる。
【０１４０】
上記の実施形態３Ａはどのように実施してもよいが、講習を事前に行うことで習熟度を測定するのに用いたり、まず初めに視聴して普段の運転能力の度合いを測定し、その後に講習を受講することで受講者の弱点を把握するのに用いたり、机上学習等の講習と組み合わせることで、単なる知識に留まらず実技的な向上に関する効果を見込むことが可能である。
【０１４１】
なお、実施形態３Ａの構成は上述した方法及び／又は構成に限定されない。
【０１４２】
［実施形態３Ｂ］
［構成］
実施形態３乃至実施形態３Ａでは、各反応情報を一つの反応として捉える構成としたが、実施形態３Ｂでは、各反応情報で１以上の反応を含む構成の一例を、図１７を用いて以下に説明する。
【０１４３】
実施形態３乃至実施形態３Ａでは角度を検知して、角度を含む情報を反応情報として取得しているが、注視範囲には受講者によって幅があることが想定され、厳密に座標を一つに限定することは難しい。従って、反応情報に注視の対象範囲を設定する方法を説明する。
【０１４４】
例えば、映像中に信号に面した際に、検知する角度が図１７の７７Ａの範囲内であれば、「信号を見る」反応情報として取得することとする。本実施形態では、自転車の路上運転指導に関する映像であり、信号に面した際には、確実に「信号を見る」ことが求められる。それに伴い、７７Ａの範囲に加えて、７７Ｂの範囲を設定し、同じ「信号を見る」という反応でも点数を異ならせることで、より、受講者の注意力を含む能力的な度合いを測定することが可能となる。従って、注視の対象範囲の設定は複数設定することも可能であり、この項目を反応度合置換表で表す場合には、図１２（ａ）で反応情報にコードを割り当てる際に、図１７の７７Ａに対してコード「Ａ（信号を見る）」を割り当てて、７７Ｂに対してコード（Ａ’（信号を見る（中心部）））を割り当てて別の反応情報として取得すればよい。
【０１４５】
上記のように、注視範囲に対しても重み付けを行うことで、同一の「信号を見る」行為に対しても、行為の質を把握することが可能となる。該行為の質と能力的な度合いを測るための測定値と組み合わせれば、より詳細な反応度合を取得することが可能となる。
【０１４６】
なお、実施形態３Ｂの構成は上述した方法及び／又は構成に限定されない。
【０１４７】
［実施形態３Ｃ］
［構成］
実施形態３Ａでは、当該反応度合に対する重み付けの方法、及び取得した反応度合を表す数値の活用を可能とする構成としたが、実施形態３Ｃでは、数値として取得した実技点の比較を可能とする構成の一例を図１１乃至図１３を用いて、以下に説明する。なお、その他の構成は実施形態３Ａの構成と同様である。
【０１４８】
実施形態３Ｃの動作を以下に説明する。
管理端末６０の指示部６３の映像表示指示（図１１のステップＳ４１）後、実施形態３Ａと同様に図１１のステップＳ４２乃至図１１のステップＳ５１まで処理を行う。その後、映像を再度表示させる場合（図１１のステップＳ５２  Ｙｅｓ）、管理端末６０の指示部６３は、再度、映像表示指示を行い、ステップＳ４１以降の処理を再度実行する。映像を終了する場合（図１１のステップＳ５２  Ｎｏ）、処理を終了する。
【０１４９】
なお、図１１のステップＳ４７乃至ステップＳ５１で、サーバ２０の測定部５は、反応度合を数値として測定した測定結果を反応度合出力部２４で出力し、管理端末６０へ送信して、管理端末６０の結果表示部６４は前記測定結果を表示しているが、複数回視聴して前記測定結果とは別に習熟度を出力する場合の例を以下に説明する。サーバ２０は習熟度判定部２６を有する構成とする。
【０１５０】
図１１のステップＳ４９でサーバ２０の反応度合出力部２４で測定結果を出力し、一回目の視聴であれば、そのままステップＳ５０の処理へ移行するが、二回目以降の視聴である場合、サーバ２０の習熟度判定部２６は、各回の測定結果を比較して習熟度を判定する。前記習熟度の判定とは、自転車の路上運転指導の成果に関するものである。単に実技点を比較するものであってもよいが、例えば、二回視聴した場合に一回目で実技点を得られなかった項目が二回目では得られているか否か、といった各チェックポイント毎の比較であってもよい。
【０１５１】
サーバ２０の習熟度判定部２６は、測定結果及び習熟度判定結果を管理端末６０へ送信し、管理端末６０の結果表示部６４は、測定結果及び習熟度判定結果を表示する（図１１のステップＳ５１）。
【０１５２】
本実施形態３Ｃでは、自転車の路上運転映像を繰り返し視聴することで、より受講者への理解を深めることを可能とする。例えば、机上学習等の講習前に受講者へヘッドセットを装着させ、図１１のステップＳ４１からＳ５１までの処理を実行することで、普段の受講者の運転技術を測定することが可能である。その後に、指導者が、机上学習等の講習を行い、受講者に再度ヘッドセットを装着させ、管理端末６０より、図１１のステップＳ５２で映像を再表示させて、図１１のステップＳ４１からＳ５１までの処理を再度実行する。
【０１５３】
上記の処理により、管理端末では、二回分の測定結果、及び習熟度判定結果が表示される。これにより、二回目においても改善しない点（受講者の弱点）を受講者と指導者共に把握することが容易となる。
【０１５４】
図１３（ｄ）及び（ｅ）は、その二回目に視聴した際の反応度合に関する表であり、図１３の（ｂ）と（ｄ）を比較すると、講習を受講したことにより、２分００秒から２分２９秒の間の歩行者が通った際に、歩行者を視認できたことがわかる。
【０１５５】
しかしながら、図１３の（ｄ）は、（ｂ）と同様に、４分００秒から４分２９秒の間に下を見ているため、一回目の「下を見る」という行為は偶然ではなく、受講者へ注意を促すべきポイントであることが分かる。以上のように、繰り返し視聴することで、効果的な使い方をすることが可能である。
【０１５６】
なお、上記の受講者の反応度合については、一回目及び二回目の両方の測定結果を数値の羅列を比較して把握できるものであるが、前述の通り、サーバ２０の習熟度判定部で項目別に比較させて、比較結果を習熟度判定結果として結果表示部に表示させてもよい。また、二回目の視聴をテストとして位置付ける場合には、合否を判定させてもよい。いずれにしても、前記習熟度判定結果は、各回の測定結果の情報に基づいて習熟度判定部２６で出力できるものであればいずれのものでもよく、実施前に、予め、習熟度判定部２６で何をどのように判定するのか、その判定結果の出力方法（グラフ、点数、合否等）について定義しておけばよいものとする。
【０１５７】
前記習熟度判定部２６は、複数回視聴させた場合の各回の比較から習熟度を判定する構成として説明したが、先に自転車の路上運転講習を行い、その後に習熟度をテストするといった一回のみの視聴でも習熟度判定部２６を用いて習熟度を判定させてもよいものとする。一回のみの視聴であっても、前述の通り、判定結果の出力方法（グラフ、点数、合否等）について定義しておけばよいものとする。
【０１５８】
なお、実施形態３Ｃの構成は上述した方法及び／又は構成に限定されない。
【０１５９】
［実施形態３Ｄ］
［構成］
実施形態３Ａでは、反応度合置換表で用いる測定値を実技点とする構成としたが、実施形態３Ｄにおける反応度合置換表は、前記反応度合毎に１以上の測定値を含む構成とし、更に、前記反応度合置換表によって置換された数値から点数、グラフ、その他のいずれか１つ以上の表示方法により可視化する一例構成を、図１４及び図１５を用いて、以下に説明する。なお、その他の構成は実施形態３Ａの構成と同様である。
【０１６０】
測定値とは、前述したとおり、本発明においてどのような反応度合（または、心理状態の種別）の取得を目的とするかによって設定する値である。実施形態３乃至実施形態３Ｂでは、能力的な度合いの取得を目的として測定値に実技点を割り当てていたが、実施形態３Ｄでは、運転技術に必要とされる能力を細分化して取得する目的に使用する。
【０１６１】
図１４（ｂ）に示す通り、実施形態３Ｄでは測定値に複数の項目を割り当ており、図１５（ａ）のマトリクスでは、それに伴って、反応度合毎に複数の測定値を含んでいる。前記図１５（ａ）のマトリクスは、図１１のステップＳ４７で、サーバ２０の測定部５が反応度合を数値として測定する際に用いる反応度合置換表である。
【０１６２】
例えば、開始１分３０秒から１分５９秒の間に「信号を見」た場合、測定値「Ｘ」に「５」、「Ｚ」に「５」の数値が測定される。すなわち、信号に面した際に、信号を視認できたことにより、「注意力」と「落ち着き」が認められる。
【０１６３】
また、開始２分００秒から２分２９秒の間に「歩行者を見」た場合、測定値「Ｘ」に「５」、「Ｙ」に「１０」の数値が測定される。すなわち、歩行者（動きのあるもの）に面した際に、歩行者を視認できたことで、「注意力」と「反応速度」が認められる。
【０１６４】
図１５（ｃ）では、各測定値の合計値を出力しており、その合計値を図１５（ｄ）のレーダーチャートに表している。
【０１６５】
前記レーダーチャートの出力について、図１０及び図１１を用いて以下に説明する。
図１１のステップＳ４７で、サーバ２０の測定部５は反応度合を数値として測定し、ステップＳ４９で、反応度合出力部２４は測定結果を出力する。前記反応度合出力部２４は、測定結果を測定部５から受けた数値をそのまま出力してもよいし、数値を加工して点数、グラフ、その他のいずれか１つ以上の表示方法で出力してもよい。実施形態３Ｄでは、この反応度合出力部２４で、測定結果をレーダーチャート化して出力し、管理端末６０へ測定結果表示指示を送信する。
【０１６６】
実施形態３Ａでは、単一の技術的な点数として測定し、結果を取得していたが、実施形態３Ｄにおいて、測定値を複数設定することで、受講者の１つの反応を多角的に捉えて、能力的な度合いを測定することが可能となった。図１４（ｂ）では、仮に測定値に「注意力、反応速度、落ち着き」の３項目を設定しているが、測定値を増やせば、それに応じて複雑な能力的な度合いを測定することが可能となる。
【０１６７】
更に、図１５（ｄ）に示す通り、測定結果をレーダーチャートとして出力することにより、指導者は視覚的に受講者の運転技術や能力的な度合い、及び／又は習熟度を把握することが可能となった。図１５（ｄ）では、仮にレーダーチャートを用いて出力したが、受講者の反応の度合いを把握できるものであれば、何れの形態として出力してもよい。
【０１６８】
［実施形態３Ｅ］
［構成］
実施形態３Ｄでは、測定値を複数設定し、測定結果をグラフで表示する構成としたが、実施形態３Ｅでは、予め定められた身体動作の継続時間及び／又は反復間隔時間を反応情報として取得する構成の一例を、図１２及び図１６を用いて、以下に説明する。前記身体動作の継続時間とは注視時間のことであり、前記反復間隔時間は時間を少し空けて二回見たのか、又は二度見等の瞬時に二回見る行為の区別をすることである。なお、その他の構成は実施形態３Ｃの構成と同様である。
【０１６９】
図１６（ａ）のマトリクスでは、継続時間を取得する場合の例を示す。反応情報及び測定値のコードは図１２を使用する。なお、図１６（ａ）では経過時間を分割し、当該分割した時間帯毎に前記反応情報を取得する構成とし、分割単位を不等間隔で設定する例とするが、等間隔に設定してもよい。
【０１７０】
前記継続時間について以下に説明する。本実施形態では、実施形態３Ｂの注視範囲の設定を行うことを前提とする。
【０１７１】
本実施形態における継続時間とは、設定した注視範囲内を連続して注視した時間のことである。サーバ２０は、端末１０の反応情報取得部４から取得した反応情報、及び経過時間計測部３が該反応情報を検知した時間を取得し（図１１のステップＳ４５）、設定した注視範囲内であるか否かを判断する。
【０１７２】
なお、前記反応情報は、分割した時間帯毎に取得しているため、例えば１分割３０秒とし、角度情報を１秒単位で取得している場合には、前記反応情報は３０個の角度情報を有することになる。
【０１７３】
前記反応情報の角度が、設定した注視範囲外である場合には、「信号を見る」、「左右を見る」といった行為として判断されず、図１２（ａ）で設定される反応情報のコードに割り当てられないため、次の角度が設定注視範囲内外のどちらにあるかの確認へ進む。ここで記載する「次の角度」とは、前記反応情報が３０個の角度情報から成る場合に、例えば、３０個のうち１番目に取得した反応情報の角度情報の確認が終了した場合、２番目に取得した反応情報の角度情報の確認へと処理を進めることであり、２番目の反応情報の角度情報のことを意味する。前記反応情報の角度が、注視範囲内である場合には、次の角度も、設定した注視範囲内であるか否かを確認し、注視範囲外になるまで、又は取得した反応情報の確認が終了する（３０個の角度の確認がすべて終了する）まで、角度の比較を行う。
【０１７４】
上記の、反応情報に含まれる角度が、設定した注視範囲内であるか否かの確認は、サーバ２０が取得した反応情報に含まれる角度に伴う計測時間が一番早いものから順次行うものとする。例えば、５時１分１秒の角度、５時１分２秒の角度、５時１分３秒の角度・・・とあった場合、５時１分１秒の角度から順に処理を行う。
【０１７５】
取得した反応情報の角度がいずれも設定した注視範囲外であった場合には、図１１のステップＳ４６乃至Ｓ４７の処理は行わずステップＳ４８へ進み、映像表示中である場合には、次の分割した時間帯毎の反応情報を取得する。
【０１７６】
前記注視範囲外、又は取得した反応情報が終了した場合（３０個の角度の確認がすべて終了した場合）には、注視範囲内を連続して注視した時間を取得する。前記注視時間は、注視範囲内となった角度に伴う時間と注視範囲外となる直前の角度に伴う時間を比較して取得してもよいし、どのように取得してもよいものとする。
【０１７７】
また、前記反復間隔時間は、別途、区別するための反復間隔の時間を設定する必要がある。例えば、反復間隔時間を０．３秒未満である場合に二度見、等の設定である。前記継続時間の取得では設定した注視範囲内に留まる時間としたが、反復間隔時間は、設定した注視範囲内となった角度が一度注視範囲外となり、再度注視範囲内となる、その間の間隔を取得する。反復間隔時間の取得は、前記継続時間の取得方法を応用すればよい。
【０１７８】
なお、前記反応情報は、経過時間を分割し、当該分割した時間帯毎に前記反応情報を取得する構成として説明したが、経過時間を分割せずに、随時反応情報を取得する構成としてもよい。また、継続時間（注視時間）及び／又は反復間隔時間の取得方法についても、継続時間（注視時間）及び／又は反復間隔時間が取得できればよく、前述の構成、方法に限定されない。
【０１７９】
例えば、図１６（ａ）の７４Ａでは、信号に面して「信号を見」た場合、注視時間が１秒未満は「Ｘ」に「５」、１秒以上は「Ｘ」に「１０」の数値が測定される。これは、１秒未満では信号を確認しているものの、信号の確認時間が短いために「５」が設定されている。なお、経過時間の分割は、前記信号が表れるタイミングに沿って行うものとし、例えば赤から青に切り替わるタイミング前後０．５秒（合計１秒）を一つの分割単位としてもよい。その場合、より正確に受講者が信号を見ていたか否か、を判断することが可能である。
【０１８０】
更には、図１６（ａ）の７４ＢのＴ３の時間分割を信号の切り替えタイミング前１秒から０．５秒に設定し、７４ＣのＴ５の時間分割を信号の切り替えタイミング後０．５秒から１秒に設定して、信号の切り替え前と切り替え後にそれぞれ視認したことを検知した場合には、信号の確認を正常に行えているため７４Ａの枠内と同じ（又は異なる）数値を測定する形式としてもよい。この場合には、実施時に、別途組み合わせの条件を設定する必要がある。たとえば、前記であれば７４Ｂと７４Ｃの両方で「信号を見る」旨の反応情報を検知した場合に、７４Ａの枠内を参照して数値を設定する、といった条件設定のことである。
【０１８１】
また、７４Ｄの枠内に示すように、「左右を見る」場合には継続時間が設定されていない。これは、実施形態３Ｅにおいて、左右を見る行為の継続時間は重視されておらず、分割単位内に左右を見た情報を検知できればよいとされるためである。実施時に重視する場合には、継続時間を別途設定すればよいものとする。
【０１８２】
７４Ｅの枠内に示すように、０．５秒以上「下を見る」場合には減点とされる。実施形態３Ｅにおいて、頭を一瞬傾けたのみのケースも想定し、０．５秒未満では「下を見る」という反応に含めないよう設定している。
【０１８３】
図１６（ｂ）は、ある受講者の反応情報を表したものであるが、７５Ａの枠内を見ると、信号を３秒見たため、図１６（ｃ）の７６Ａに示す通り、実技点が「１０」測定される。７５Ｂの枠内では、０．３秒「歩行者を見る」行為を二回繰り返している。実技点「５」を二回繰り返すことで、７６Ｂに示す通り「１０」が測定される。これは、二度見でも歩行者への注意力が窺えるため、歩行者を１秒以上見た時と、１秒未満ではあるが二回見た時で、同数の値が測定される。
【０１８４】
実施形態３Ｅに示すように、継続時間及び／又は反復間隔時間を設定することが可能である。図１６（ａ）では、継続時間及び／又は反復間隔時間の設定を明瞭に行うため、測定値を実技点のみとして説明したが、測定値を複数設定し、継続時間及び／又は反復間隔時間と組み合わせることで、より詳細な反応の度合いを取得することが可能となる。
【０１８５】
なお、実施形態３Ｅでは、継続時間を含む反応情報に主に重み付けをしていたが、一般的に指導映像（教習映像）は後半になると注意力が散漫となる傾向があるため、自転車の路上運転指導映像が長い場合には、同じ「歩行者を見る」行為でも後半に多く数値を設定するなど、経過時間に対して重み付けをしてもよい。
【０１８６】
上記のように、時間の分割単位の設定、継続時間及び／又は反復間隔時間の取得、各種重み付けの設定、によって、受講者の反応度合、すなわち能力的な度合いや習熟的な度合いを詳細に把握することが可能となった。
【０１８７】
なお、実施形態３Ｅの構成は上述した方法及び／又は構成に限定されない。
【０１８８】
この発明は、その本質的特性から逸脱することなく数多くの形式のものとして具体化することができる。よって、上述した実施形態は専ら説明上のものであり、本発明を制限するものではないことは言うまでもない。
【符号の説明】
【０１８９】
１        情報測定装置
２        映像表示部
３        経過時間計測部
４        反応情報取得部
５        測定部
１０        端末
１１        通信部
１２        制御部
１３        入力部
１４        広告表示部
２０        サーバ
２１        通信部
２２        制御部
２３        重み付け部
２４        反応度合出力部
２５        広告指示部
２６        習熟度判定部
３０        スクリーン
３１        通信部
３２        制御部
３３        出力部
３４        表示部
４０        記録部
５０        通信網
６０        管理端末
６１        通信部
６２        制御部
６３        指示部
６４        結果表示部
【図１】
2019020834.tif 000003
【図２】
2019020834.tif 000004
【図３】
2019020834.tif 000005
【図４】
2019020834.tif 000006
【図５】
2019020834.tif 000007
【図６】
2019020834.tif 000008
【図７】
2019020834.tif 000009
【図８】
2019020834.tif 000010
【図９】
2019020834.tif 000011
【図１０】
2019020834.tif 000012
【図１１】
2019020834.tif 000013
【図１２】
2019020834.tif 000014
【図１３】
2019020834.tif 000015
【図１４】
2019020834.tif 000016
【図１５】
2019020834.tif 000017
【図１６】
2019020834.tif 000018
【図１７】
2019020834.tif 000019